(57)【要約】      （修正有）【課題】大型地震に対しても充分な支持強度が得られる電気温水器の設置構造及び設置方法を提供する。【解決手段】電気温水器５は、その下部に隔設された複数の固定脚６を有し、床部４は床梁２とこの床梁に支持される床盤３とを具え、前記固定脚の下位を通って前記床盤の下面に沿い、かつ前記床梁間に架け渡された複数の補強桟７が設けられ、前記床盤及び補強桟には、連続して上下に貫通する取付孔が形成されるともに、この取付孔には、縦長の緊結棒９が挿通され、前記緊結棒の下端部は、補強桟下部に固着され、かつ床盤の上面から突出する緊結棒の上端部に前記固定脚が固着される。また、設置方法は、複数の補強桟を前記床梁間に架け渡す補強桟取付工程と、前記床盤及び補強桟に取付孔を穿設する取付孔形成工程と、前記取付孔に縦長の緊結棒を挿通し床盤の上面から突出する緊結棒の上端部に前記電気温水器の固定脚を固着する固定脚固着工程とを含む。【選択図】  図２
2006153378.tif 000002
【特許請求の範囲】
【請求項１】
床梁と、この床梁に支持される床盤とを具えた床部の上に電気温水器を設置する電気温水器の設置構造であって、
前記電気温水器は、その下部に隔設された複数の固定脚を有し、
前記床部は、固定脚の下位を通って前記床盤の下面に沿い、かつ前記床梁間に架け渡された複数の補強桟が設けられ、
前記床盤及び補強桟には、連続して上下に貫通する取付孔が形成されるともに、この取付孔には、縦長の緊結棒が挿通され、
前記緊結棒の下端部は、補強桟下部に固着され、かつ床盤の上面から突出する緊結棒の上端部に前記固定脚が固着されることを特徴とする電気温水器の設置構造。
【請求項２】
前記床梁は、形鋼で形成されるとともに、側部に木質下地材が取付けられ、
前記補強桟は、木質材料で形成され、その端部を前記木質下地材に当接させるとともに該木質下地材に固着されることを特徴とする請求項１記載の電気温水器の設置構造。
【請求項３】
前記固定脚は、その下部に、固定孔を有する水平な固定板を具え、また前記緊結棒は、少なくとも上下端部にネジが螺刻された長ボルトを用いて形成され、
この長ボルトは、その下端部が、補強桟の下部に保持具を介して固着され、他方その上端部は、前記固定板の前記固定孔に挿入されるとともにナットが螺合して電気温水器の固定脚を固着することを特徴とする請求項１又は２記載の電気温水器の設置構造。
【請求項４】
前記保持具は、保持ナットと、該保持ナットの上部から水平にのびる鍔板とを有して逆ハット状をなし、  前記鍔板は補強桟の下部に固着され、かつ保持ナットには長ボルト下部が螺合したことを特徴とする請求項３記載の電気温水器の設置構造。
【請求項５】
床梁と、この床梁に支持される床盤とを具えた床部の上に複数の固定脚を有する電気温水器を設置する電気温水器の設置方法であって、
前記床盤の下面に沿って、複数の補強桟を前記床梁間に架け渡す補強桟取付工程と、
前記床盤及び補強桟に、連続して上下に貫通する取付孔を穿設する取付孔形成工程と、  前記取付孔に、縦長の緊結棒を挿通し、該緊結棒の下端部を補強桟下部に固着するとともに床盤の上面から突出する緊結棒の上端部に前記電気温水器の固定脚を固着する固定脚固着工程とを含むことを特徴とする電気温水器の設置方法。
【請求項６】
前記補強桟取付工程において、各々の補強桟は床部上に設置する電気温水器の固定脚の下位を通って配置することを特徴とする請求項５記載の電気温水器の設置方法。
【発明の詳細な説明】
【技術分野】
【０００１】
本発明は、電気加熱型などの電気温水器を、建築物の主として上階の床部上に固着する際に用いる電気温水器の設置構造および、その設置方法に関する。
【背景技術】
【０００２】
近年、室内空気の清浄性、安全性に優れたオール電化住宅の普及、及び深夜電力を用いると電気料金が約１／３と割安になることなどから、廊下、ベランダなどの空間に電気温水器を設置するケースが増えている。一方、特に集合住宅、賃貸住宅等では、床部などの建築構造体の完成後に、設備配管を含むプランが決定、或いは変更される場合が多い。このような時には、図１４に示すように、構築後の床部ｆ表面にボルト等の固着具ｅを打ち込んで前記電気温水器ａの固定脚ｂを取付ている。さらに転倒防止のため、電気温水器ａ上部を継ぎ金具ｈを介して壁部ｇに固定している（例えば、特許文献１参照）。
【０００３】
【特許文献１】特開平８−３２７１５７号公報
【発明の開示】
【発明が解決しようとする課題】
【０００４】
しかしながら地震発生時には、電気温水器ａに対して、下向きの力だけでなく、上向き或いは水平方向の力が作用する。上向きの加速度が働く時には、前記固着具ｅに引き抜き力が作用し、大きな縦揺れの際、床部ｆにヒビ割れを発生するなど固着具ｅの保持力が不足して、固定脚ｂが床部ｆから外れて電気温水器ａが転倒する恐れがある。一方水平振動の際にも、固着具ｅの負荷が限界を越えると床部ｆから引き抜かれる可能性がある。
【０００５】
また、近年集合住宅、賃貸住宅等で、遮音性能を確保するため、床パネル材としてＡＬＣ板が使用される場合が多い。このＡＬＣ板は、ボルトなど固着具ｅの保持力が劣る上、曲げ強度も比較的小さく、特に下層に補強筋が埋設されていることから、上向きの加速度が負荷すると上層が破壊され易い。そのため重量物の電気温水器ａを載置した場合には、比較的小規模の地震力でも、固着具ｅが保持力を損なって電気温水器ａが転倒する危険性があり、或いはＡＬＣ板自体も割れなど破損し易いという問題がある。
【０００６】
本発明は、床部に、電気温水器の固定脚の下位を通る補強桟を設け、この補強桟及び床部に挿通される緊結棒により固定脚を固着することを基本とし、大型の地震に対しても充分な支持強度が得られる電気温水器の設置構造及び電気温水器の設置方法の提供を課題としている。
【課題を解決するための手段】
【０００７】
前記目的を達成するために、請求項１に係る発明は、床梁と、この床梁に支持される床盤とを具えた床部の上に電気温水器を設置する電気温水器の設置構造であって、前記電気温水器は、その下部に隔設された複数の固定脚を有し、前記床部は、固定脚の下位を通って前記床盤の下面に沿い、かつ前記床梁間に架け渡された複数の補強桟が設けられ、前記床盤及び補強桟には、連続して上下に貫通する取付孔が形成されるともに、この取付孔には、縦長の緊結棒が挿通され、前記緊結棒の下端部は、補強桟下部に固着され、かつ床盤の上面から突出する緊結棒の上端部に前記固定脚が固着されることを特徴とする。
【０００８】
請求項２に係る発明では、前記床梁は、形鋼で形成されるとともに、側部に木質下地材が取付けられ、前記補強桟は、木質材料で形成され、その端部を前記木質下地材に当接させるとともに該木質下地材に固着されることを特徴とする。
【０００９】
請求項３に係る発明では、前記固定脚は、固定孔を有する固定板を具えるとともに緊結棒は長ボルトを用いて形成され、この長ボルトは、その下端部が、補強桟の下部に固着されるとともに上端部が電気温水器の固定脚を固着し、また請求項４に係る発明では、前記保持具は、保持ナットと鍔板とを有して逆ハット状をなし、鍔板は補強桟の下部に固着されるとともに保持ナットに長ボルト下部が螺合する。
【００１０】
請求項５に係る発明は、床部の上に複数の固定脚を有する電気温水器を設置する電気温水器の設置方法であって、前記床盤の下面に沿って、複数の補強桟を床梁間に架け渡す補強桟取付工程と、前記床盤及び補強桟に、連続して上下に貫通する取付孔を穿設する取付孔形成工程と、前記取付孔に、縦長の緊結棒を挿通し、該緊結棒の下端部を補強桟下部に固着するとともに床盤の上面から突出する緊結棒の上端部に前記電気温水器の固定脚を固着する固定脚固着工程とを含み、請求項６に係る発明では、前記補強桟取付工程において、各々の補強桟は床部上に設置する電気温水器の固定脚の下位を通って配置することを特徴とする。
【発明の効果】
【００１１】
請求項１に係る発明は、床梁間に架け渡された補強桟に下端部を固着された緊結棒の上端部で電気温水器の固定脚が固着されるため、２Ｇの加速度に充分耐える引き抜き強度が得られ、過去最大級の地震に対しても、電気温水器は安定して支持され、転倒が防止される。特に集合住宅、賃貸住宅などの上階床に多用されるＡＬＣなどを用いた床構造においても、重量物の設置を前提としない床部が補強桟により補強され、しかも任意の位置に電気温水器を配置できるため、プランの自由性を高め、さらにはリフォームなどによる増設を容易とする。
【００１２】
請求項２に係る発明においては、形鋼で形成された床梁に対して、溶接等を必要としない簡単な作業により、補強桟が取付できる。しかも木質下地材により、補強桟の位置を自由に調整できるため、平面プランに応じた任意の位置に、しかも各種の大きさの電気温水器の取付けが行える。
【００１３】
請求項３に係る発明のように前記緊結棒を、少なくとも上下端部にネジが螺刻された長ボルトを用いて形成すると、電気温水器の固定強度が安定し、また請求項４に係る発明のように保持具は、保持ナットと鍔板とを有して逆ハット状をなし、鍔板を補強桟の下部に固着するとともに保持ナットに長ボルト下部を螺合するよう構成すると、長ボルト下部の固着強度を安定化でき、しかもその固着作業を効率化しうる。
【００１４】
また請求項５に係る電気温水器の設置方法では、前記床盤の下面に沿って、補強桟を床梁間に架け渡す補強桟取付工程と、前記床盤及び補強桟に取付孔を穿設する取付孔形成工程と、前記取付孔に、緊結棒を挿通し、該緊結棒の下端部を補強桟下部に固着し、床盤の上面から突出する緊結棒の上端部に前記電気温水器の固定脚を固着する固定脚固着工程とを含むため、電気温水器を、平面プランに応じた任意の位置に、効率的に取付けでき、既築建物に、電気温水器を追加する場合、或いは大型機種への取替えも簡単に行える。しかも２Ｇの加速度に充分耐える引き抜き強度が得られ、電気温水器の取付安定性が高い。
【００１５】
また請求項６に係る発明のように、前記補強桟取付工程において、各々の補強桟は床部上に設置する電気温水器の固定脚の下位を通して配置すると電気温水器の荷重、或いは地震時の引き抜き力を安定して支持でき、ＡＬＣを用いた床構造においても、充分な強度が得られる。
【発明を実施するための最良の形態】
【００１６】
以下、本発明の実施の一形態を、図示例とともに説明する。図１に示すように、電気温水器の設置構造１は、構造躯体を構成する床梁２と、この床梁２に支持されて床面を形成する床盤３とを具えた床部４の上に、電気温水器５を設置するために用いられる。
【００１７】
前記電気温水器５は、図１に示すように、貯湯タンク２１と、マイコンなどの制御部２２とを有し、この制御部２２のコントロールにより加熱手段で加熱された高温水が貯湯タンク２１に貯湯され、必要に応じて給湯使用される公知の機器が用いられる。本形態の加熱手段は、貯湯タンク２１内に配設されたヒータを用いる。加熱手段に、自然冷媒ＣＯ2 を用いた高効率ヒートポンプを用いると、深夜電力に加え高いエネルギー効率により、経済性を更に高めることができる点で好ましい。
【００１８】
電気温水器５は、本形態では図２に示すように、略枡状の保護ケース２３と、この保護ケース２３の上部に嵌着した蓋体２４とを有し、前記貯湯タンク２１、及び制御部２２は、保護ケース２３内に収容、固定されている。前記保護ケース２３は、図１に示すように、下側部に給湯管２５、上端部に逃がし弁２６が取付けられ、側面部には制御部２２の動作状況、貯湯タンク２１の貯湯量などを表示するメータ２７が装着されている。
【００１９】
また前記電気温水器５は、その下部に複数の固定脚６を有し、本形態では、図２に示すように、前記保護ケース２３の下部に３個の固定脚６が設けられている。そして、本形態の固定脚６は、下部に配された水平で矩形の固定板１２と、この固定板１２の縁部から立ち上がる横断面コ字状の脚本体２８とからなる。また前記固定板１２には、その略中央に固定孔１１が形成される。
【００２０】
前記床梁２は、本形態では、一定の間隔（例えば９００ｍｍ）を隔てて平行にのびる大梁２Ａと小梁２Ｂとを含み構成されたものを例示している。前記大梁２Ａ、小梁２Ｂは、図１に示すように、共にＩ形鋼を用いて形成され、大梁２Ａは高さが例えば３２０ｍｍ、小梁２Ｂは例えば２００ｍｍであり、大梁２Ａの上フランジは、小梁２Ｂよりも３５ｍｍ高く配置されている。
【００２１】
前記大梁２Ａには、図４に示すように、小梁２Ｂに向合う側部に、ブラケット３０を介して側大引２９が取付けられる。この側大引２９は、前記ブラケット３０に固着される横長で垂直な帯板状の取付基板２９Ａと、この取付基板２９Ａの上縁から小梁２Ｂに向けて水平にのびる帯板状の水平片２９Ｂとからなり、縦断面逆Ｌ字状をなす。また取付基板２９Ａと水平片２９Ｂとの隅角部に補強リブ２９Ｄが設けられる。
【００２２】
前記側大引２９の水平片２９Ｂは、前記小梁２Ｂの上のフランジ２ＢＵと略同高さに配される。そして該水平片２９Ｂ及びフランジ２ＢＵの間に、床盤３が架け渡される。前記床盤３は、本形態では図１に示すように、厚さ１００ｍｍのＡＬＣ板３１と、その上に積層された厚さ１９ｍｍ程度のパーティクルボード３２とを含み構成されたものを例示している。前記ＡＬＣ板３１の端部は、図１１に示すように、竹トンボ状のＡＬＣ固定金具３３を用いて、水平片２９Ｂ、フランジ２ＢＵに固定される。さらにパーティクルボード３２の表面は、プランに応じた種類の床仕上層（図示せず）が形成される。なお、床盤３は、この他ＰＣ板、特殊コアー合板、フラッシュ床パネル、ハニカム床パネルなどを用いて形成することもできる。また本形態では、床梁２として、平行にのびる大梁２Ａ及び小梁２Ｂを例示しているが、一対の大梁２Ａ、或いは小梁２Ｂ間で床盤３を支持して床部４を構成することもできる。
【００２３】
前記大梁２Ａの側大引２９には、木質下地材１０が取付けられる。本形態の木質下地材１０は、角棒状をなし、図３に示すように、通孔３４が穿設される。図４に示すように、前記通孔３４に挿入したドリルにより側大引２９に下孔（図示せず）を穿孔し、図５に示すように、通孔３４に挿入された固着具（ドリルビス）３５を用いて、木質下地材１０が側大引２９に固着される。これに向き合い、小梁２Ｂのウェブには、図６に示すように、前記と同様の木質下地材１０が同高さに取付られる。
【００２４】
前記向合う木質下地材１０、１０間には、床盤３の下面に沿う補強桟７が架け渡される。しかも、この補強桟７は、前記電気温水器５の固定脚６の下位を通る位置に配置される。本形態では、図２に示すように、前記固定脚６は、床梁２の長手方向に対して間隔ｄを隔てて３箇所形成されるため、補強桟７は、図９に示すように、各々の固定脚６の直下において、間隔ｄを隔てて平行に設けられる。本形態の補強桟７は、角棒状をなし、木質下地材１０、１０間の間隙と略同長さに形成される。そのため補強桟７の両端部は、各々木質下地材１０に当接し、図８に示すように、Ｌ金具３６を用いて木質下地材１０に固着される。
【００２５】
本形態の木質下地材１０は一定長さの角棒状をなし、３本の補強桟７を連続して支持しているが、各補強桟７を別個に支持するブロック状の木質下地材１０を用いることもできる。尚、補強桟７及び木質下地材１０は、杉、松、樅などの針葉樹、ラワン、ナラなどの広葉樹、集成材、木粉及びポリオレフィン樹脂を原料として押出成形した人工木材、その他の木質材料が用いられる。このように本形態の補強桟７は、木質材料で形成されるため、本形態のように形鋼を用いた床梁２に対しても、木質下地材１０を介して溶接等を行うことなく簡単に取付できる。また木質下地材１０の取付位置の設定、変更により補強桟７の位置を自由に調整でき、その結果設備プランに応じた任意の位置に電気温水器５を設置でき、しかも電気温水器５は各種大きさのものを取付しうる。
【００２６】
前記床盤３及び補強桟７には、連続して上下に貫通する取付孔８が形成される。この取付孔８は、その床盤３上面での位置が、前記電気温水器５の固定脚６の固定孔１１と一致することが重要である。そのため、前記取付孔８穿設時に、床盤３表面に固定脚６の固定孔１１の位置をマークして、これを基準にして電動ドリルなどを使用して、垂直方向に穿孔することが好ましい。
【００２７】
前記取付孔８に、図２、１０に示すように、緊結棒９を挿入し、この緊結棒９の上端部に前記電気温水器５の固定脚６が固定される。本形態の緊結棒９は、全長にネジ溝を螺刻した丸棒状で鋼製の長ボルト１３を用いるが、鋼製丸棒の上下端にネジを螺刻した長ボルト１３を用いることもよい。緊結棒９は、少なくとも上下端部にネジが螺刻された長ボルト１３を用いると、ネジの締め付け調整により電気温水器５の取付強度を安定化でき、同時にその作業を効率化しうる点で好ましい。
【００２８】
前記取付孔８から下方に垂下した長ボルト１３の下端部は、図１に示すように、保持具１４を用いて補強桟７の下部に固着される。本形態の保持具１４は、図１０に示すように、保持ナット１４Ａと、この保持ナット１４Ａの上部全周から水平にのびる鍔板１４Ｂとを有して逆ハット状をなす。前記鍔板１４Ｂは、補強桟７の下面の取付孔８周りに固着具３７によって固着され、保持ナット１４Ａには、長ボルト１３の下部が螺合して、これにより長ボルト１３の下部が固着される。このように、長ボルト１３の下部は、鍔板１４Ｂにより補強桟７に固着した保持具１４に螺合するため、長ボルト１３の固着強度を高め、かつ取付孔８に挿入した長ボルト１３が仮支持されて電気温水器５の固定作業が容易となる。
【００２９】
前記取付孔８から突出する長ボルト１３の上端部は、図２に示すように、中央に丸孔３８Ａが穿設された鋼板３８の前記丸孔３８Ａ、及び電気温水器５の固定脚６の固定孔１１に挿通し、更に角座金３９を介して上端部にナット１５が螺合し、これにより電気温水器５の固定脚６が床盤３上に固着される。なお前記鋼板３８は、木ネジにより床盤３に固着され、電気温水器５の荷重の集中を分散することにより、床盤３に対する負荷集中を低減している。
【００３０】
このように電気温水器の設置構造１は、床盤３にＡＬＣなどが用いられ重量物の設置を前提としない床部４であっても、電気温水器５の荷重が床盤３から補強桟７を介して床梁２に伝えられるため、電気温水器５を安定して設置できる。しかも、電気温水器５の固定脚６を固着する緊結棒９は、その下端部が補強桟７に直接取付けられるため、２Ｇ程度の加速度に充分耐える引き抜き強度が得られ、最大級の地震が発生しても、転倒することなく安全に支持される。また集合住宅、賃貸住宅のように、建築躯体の構築後に設備プランが決定、変更される場合でも、補強桟７は、電気温水器５の固定脚６の下位において、床梁２間に架け渡されるため、電気温水器５は任意の位置に配置可能であり、プランの自由性、柔軟性を高める。更にはリフォームにおいても、既築建築の床が補強桟７で補強されるため、電気温水給湯システムを容易に増設できる。
【００３１】
尚図１、２に示される本形態では、電気温水器５の上部を、Ｌ字形金具４１を介して壁Ｗに固定することにより、転倒防止機能を一層高めている。
【００３２】
図１２は、他の実施形態を例示している。給湯配管など諸条件により決まる電気温水器５の取付位置から、固定脚６の下位を通って大梁２Ａ及び小梁２Ｂの間に架け渡す補強桟７が、側大引２９の補強リブ２９Ｄと干渉する場合に採用される。このとき、補強リブ２９Ｄを挟んで平行に取付られた一対の補強桟７、７間に、これに直行する補助補強桟７Ａを固定脚６の下位に架け渡す。そしてこの補助補強桟７Ａに挿通する緊結棒９を用いて前記固定脚６を取付ることにより、前記補強リブ２９Ｄを回避して補強桟７を配設することができる。
【００３３】
図１３は、補強桟７と補強リブ２９Ｄとが干渉する際の、更に他の実施形態を例示している。本形態の木質下地材１０は、補強リブ２９Ｄと干渉する部分を欠如している。そして前記木質下地材１０は、補強リブ２９Ｄを挟んで、一対の取付凸部４２、４２を突設している。補強桟７の端部は、取付凸部４２の前面部に当接するとともに、Ｌ金具３６により取付凸部４２に固着され、これにより補強桟７は、補強リブ２９Ｄを回避して取付けられる。
【００３４】
次に電気温水器の設置方法は、補強桟取付工程と、孔形成工程と、固定脚固着工程とを含む。以下、設置作業の順に従い説明する。
【００３５】
前記補強桟取付工程において、先ずブラケット３０を大梁２Ａの側面に固着し、次いでこのブラケット３０に側大引２９を固着する。このとき側大引２９の水平片２９Ｂを、小梁２Ｂの上のフランジ２ＢＵと略同高さに調整して取付ける。
【００３６】
次に、図３に示すように、木質下地材１０に一定ピッチで通孔３４を穿設した後、図４に示すように、木質下地材１０を所定の取付位置に保持しつつ、前記通孔３４を通して側大引２９に下孔（図示せず）を穿設する。そして図５に示すように、通孔３４に挿入した固着具（ドリルビス）３５を前記下孔に打ち込むことにより、木質下地材１０を側大引２９に固着する。更に、図６に示すように、小梁２Ｂのウェブに対しても、同様にして木質下地材１０を同高さに取付ける。また図７に示すように、防錆性能を維持するため、固着具３５により穿設された小梁２Ｂの貫通孔には、架構体補修塗料を吹付ける。
【００３７】
次に、木質下地材１０、１０間に、Ｌ金具３６を用いて補強桟７を固着する。このとき補強桟７は、床盤３との間に隙間を生じることなく床盤３の下面に沿わせて、かつ電気温水器５の固定脚６の予定位置の下位に位置合わせして取付けることが重要である。本形態では、図９に示すように、各固定脚６に対応して、間隔ｄを隔てて平行な３本の補強桟７を取付ける。補強桟７を固定脚６の下位に配置することにより、電気温水器５の荷重、および地震時の引き抜き力を安定して支持でき、例えばＡＬＣを用いたような大荷重の支持を前提としない床盤３が補強され、電気温水器５を安定支持しうる。
【００３８】
次に孔形成工程において、先ず床盤３の表面に、固定脚６の固定孔１１が配置される位置をマークする。このとき、固定孔１１の位置を印刷したシートを用い、このシートを床盤３上に貼付けることによりマークを設けると、位置決め精度を向上できるとともに作業を効率化できる点で好ましい。そして前記マークを基準に電動ドリルなどを使用して、床盤３及び補強桟７を連続して上下に貫通する取付孔８を穿設する。
【００３９】
次の固定脚固着工程では、図２、１０に示すように、前記取付孔８に長ボルト１３（緊結棒９）を挿入し、まず取付孔８から垂下した長ボルト１３の下端部を保持具１４を用いて補強桟７の下部に固着する。次いで取付孔８から突出する長ボルト１３の上端部を、中央に丸孔３８Ａが穿設された鋼板３８の前記丸孔３８Ａ、及び電気温水器５の固定脚６の固定孔１１に挿通し、更に角座金３９を介してナット１５を螺合することにより電気温水器５の固定脚６を床盤３に固着する。なお、これとは逆に、長ボルト１３の上端部に固定脚６を挿通した後、取付孔８から下方に垂下する下端部を固着しても良い。
【００４０】
このような方法で設置する電気温水器５は、床部を含む建築躯体が完成した後に、任意の位置に取付でき、特に集合住宅、賃貸住宅など設備仕様を含めたプラン決定が遅れがちで、かつ変更の多い場合でも支障なく効率的に作業できる。従って、既築建物に電気温水器５を設置するリフォーム工事も簡単に行え、大型機種への取替も自由である。しかも、緊結棒９を介して補強桟７に直接取付ける電気温水器５は、２Ｇの加速度に耐える強度で支持される。
【００４１】
尚、叙上の説明は本発明の実施の形態を例示したものであり、本発明の技術的範囲はこれに限定されるものではない。
【図面の簡単な説明】
【００４２】
【図１】本発明の一実施の形態を例示する斜視図である。
【図２】その分解斜視図である。
【図３】木質下地材の斜視図である。
【図４】木質下地材の取付状態を例示する斜視図である。
【図５】その異なる状態を例示する斜視図である。
【図６】床部の要部斜視図である。
【図７】小梁に木質下地材を取付ける状態を例示する斜視図である。
【図８】補強桟の端部の取付状態を例示する斜視図である。
【図９】補強桟が取付けられた状態を例示する斜視図である。
【図１０】床部の下部を示す斜視図である。
【図１１】床盤の固定状態をしめす斜視図である。
【図１２】他の実施形態を例示する要部斜視図である。
【図１３】更に他の実施形態を例示する要部斜視図である。
【図１４】従来例の縦断面図である。
【符号の説明】
【００４３】
１      電気温水器の設置構造
２      床梁
３      床盤
４      床部
５      電気温水器
６      固定脚
７      補強桟
８      取付孔
９      緊結棒
１０      木質下地材
１１      固定孔
１２      固定板
１３      長ボルト
１４      保持具
１４Ａ    保持ナット
１４Ｂ    鍔板
１５      ナット
【図１】
2006153378.tif 000003
【図２】
2006153378.tif 000004
【図３】
2006153378.tif 000005
【図４】
2006153378.tif 000006
【図５】
2006153378.tif 000007
【図６】
2006153378.tif 000008
【図７】
2006153378.tif 000009
【図８】
2006153378.tif 000010
【図９】
2006153378.tif 000011
【図１０】
2006153378.tif 000012
【図１１】
2006153378.tif 000013
【図１２】
2006153378.tif 000014
【図１３】
2006153378.tif 000015
【図１４】
2006153378.tif 000016